(57)【要約】【課題】風雨のときでも傘を大きく傾けることなく雨を遮ることができるようにする。【解決手段】親骨４の先端部に揺動可能に補助骨６を取り付ける。そして傘が開いた状態のときに、補助骨４の先端が下方を向いた状態で保持されるようにし、補助骨４に張設した補助傘布７２によって横からの風雨を遮るようにする。【選択図】図１
2007282838.tif 000002
【特許請求の範囲】
【請求項１】
中棒と、中棒の上端に固定された上ロクロと、中棒に摺動可能に取り付けられた下ロクロと、上ロクロに揺動可能に一方端が取り付けられた複数の親骨と、この複数の親骨の中途部に一方端が揺動可能に取り付けられ、もう一方端が下ロクロに揺動可能に取り付けられた複数の受骨とを備えた傘において、
少なくとも１本の親骨の先端部に揺動可能に補助骨が取り付けられているとともに、傘を開いた状態としたときに、先端が下方を向いた状態で補助骨を保持可能で、補助骨に張設した傘布によって横からの風雨を遮るようにすることを特徴とする傘。
【請求項２】
開いた状態のときの平面形状が非正多角形であって、最も短い親骨の少なくとも１つの先端に前記補助骨が取り付けられている請求項１記載の傘。
【請求項３】
前記補助骨が前記親骨に対して着脱可能である請求項１又は２記載の傘。
【請求項４】
前記補助骨が、親骨の先端部を中心として、親骨の内側に折り畳まれた状態と、先端が下方に向いた状態とに揺動する請求項１〜３のいずれかに記載の傘。
【請求項５】
補助骨に張設する傘布と親骨に張設する傘布とが別体である請求項１〜４のいずれかに記載の傘。
【発明の詳細な説明】
【技術分野】
【０００１】
本発明は傘に関し、より詳細には強い風をともなった雨（以下、「風雨」と記すことがある）を遮ることのできる傘に関するものである。
【背景技術】
【０００２】
これまでの雨傘は、同じ長さの親骨が中棒を中心として周方向に等角度に取り付けられ、傘を開いたときの平面形状は正八角形や正十二角形といった正多角形であった。このため、開いた傘の中棒の手元を利用者が持つと、中棒から偏倚した位置に利用者の身体が位置することになり、足元や腕、肩、背中などが濡れることがあった。特に風雨の場合には、身体が濡れるのを防ごうと、風が吹いてくる方向に傘を倒すため、傘を倒した側と反対側の身体部分が傘から外れて濡れてしまうことがあった。
【０００３】
かかる不都合を防止するためには傘の親骨を長くすることが考えられるが、親骨を長くすると、例えば傘をさした状態で狭い路ですれ違うことがしにくくなる。また中棒が長くなって傘が重くなるといった不都合が新たに生じるおそれがある。
【０００４】
そこで開いたときの平面形状を略楕円形とし、前記不具合を解消しようとした傘がこれまでから種々提案されている（特許文献１〜３）。例えば、上ロクロに補助親骨を回転自在に装着し、この補助親骨に受骨と接続材を介在して親骨を可動するように挿着した傘や、親骨に子骨を関節で接続して親骨の一部を長くできるようにした傘などが提案されている（特許文献３）。
【特許文献１】特開２００３−９９２１号公報
【特許文献２】特開２００３−６１７２３号公報
【特許文献３】特開２００３−３１０３１９号公報
【発明の開示】
【発明が解決しようとする課題】
【０００５】
しかしながら、特許文献１で提案されている傘では、親骨の長さが異なっているため傘を閉じた状態としたときに親骨をまとめにくい。また特許文献２で提案されている傘では、傘を折り畳む際に利用者が関節の所で親骨を折る必要があり面倒である。さらに特許文献３で提案されている傘では、受骨や接続材を用いるため傘を閉じた状態としたときに嵩張ることが予想される。またこれらいずれの提案の傘でも、風雨のときには風が吹いてくる方向に傘を倒す必要があった。
【０００６】
本発明はこのような従来の問題に鑑みてなされたものであり、その目的とするところは、風雨のときでも傘を大きく傾けることなく雨を遮ることができるようにすることにある。
【課題を解決するための手段】
【０００７】
前記目的を達成するため本発明に係る傘では、中棒と、中棒の上端に固定された上ロクロと、中棒に摺動可能に取り付けられた下ロクロと、上ロクロに揺動可能に一方端が取り付けられた複数の親骨と、この複数の親骨の中途部に一方端が揺動可能に取り付けられ、もう一方端が下ロクロに揺動可能に取り付けられた複数の受骨とを備え、少なくとも１本の親骨の先端部に揺動可能に補助骨を取り付けるとともに、傘を開いた状態としたときに、先端が下方を向いた状態で補助骨を保持可能とし、補助骨に張設した傘布によって横からの風雨を遮るようにした。
【０００８】
風雨のときに傘を若干傾けたとしても身体を濡らさないようにする観点から、開いた状態のときの平面形状を非正多角形とし、最も短い親骨の少なくとも１つの先端に前記補助骨を取り付けるのが好ましい。
【０００９】
また利便性を向上させる観点から、前記補助骨を前記親骨に対して着脱可能とするのが好ましい。また前記補助骨は、親骨の先端部を中心として、親骨の内側に折り畳まれた状態と、先端が下方に向いた状態とに揺動可能とするのが好ましい。
【００１０】
さらには補助骨に張設する傘布と親骨に張設する傘布とは別体であるのが好ましい。
【発明の効果】
【００１１】
本発明の傘では、少なくとも１本の親骨の先端部に揺動可能に補助骨を取り付けるとともに、傘を開いた状態としたときに、先端が下方を向いた状態で補助骨を保持可能とし、補助骨に張設した傘布によって横からの風雨を遮るようにしたので、風雨のときでも傘を大きく傾けることなく雨を遮ることができる。
【００１２】
また、開いた状態のときの平面形状を非正多角形とし、最も短い親骨の少なくとも１つの先端に前記補助骨を取り付けると、吹き降りのとき等に傘を若干倒したとしても、傘を倒した側と反対側の親骨は長くなっているので、身体部分が傘から外れて濡れることが防止される。
【００１３】
さらに、補助骨を親骨に対して着脱可能とすると、補助骨が不要なときは親骨から外せることができ利便性が向上する。また補助骨を、親骨の先端部を中心として、親骨の内側に折り畳まれた状態と先端が下方に向いた状態とに揺動可能とすると、補助骨が不要なときは親骨の内側に折り畳んでおくことができ、利用者の視界を遮ったり取扱いの邪魔になったりすることが回避される。
【００１４】
そしてまた、補助骨に張設する傘布と親骨に張設する傘布とを別体とすると、例えば補助骨に張設する傘布を透光性のものにすれば、傘としての意匠性を損なうことなく安全性を向上させることができるようになる。
【発明を実施するための最良の形態】
【００１５】
以下、本発明に係る傘について図に基づいて説明するが、本発明はこれらの実施形態に何ら限定されるものではない。
【００１６】
図１は本発明に係る傘の一実施形態を示す斜視図である。図１の傘では、中棒１の上端部に上ロクロ２が固定され、下ロクロ３が中棒１に摺動可能に取り付けられている。そして複数本の親骨４の後端が、上ロクロ２の周方向に等角度で揺動可能に取り付けられている。そして、複数本の親骨４のそれぞれの中途部に、受骨５の一方端が揺動可能に取り付けられ、受骨５のもう一方端は下ロクロ３の周方向に等角度で揺動可能に取り付けられている。これにより、下ロクロ３を中棒１の下から上へ移動させると、親骨４は受骨５によって押し上げられ傘は開いた状態となる。反対に下ロクロ３を中棒１の上から下へ移動させると、親骨４は受骨５によって引き下げられ傘は閉じた状態となる。
【００１７】
親骨４は断面Ｕ字状の棒状部材であって、溝が内側に向くように取り付けられている。親骨４の先端には傘布７１（図２に図示）の外縁を取り付けるための露先４１が填め入れられている。また、この填め入れられた露先４１よりも少し半径方向内方には、内側に向かって突出した一対の突片４２が形成されている。この一対の突片４２に補助骨６の後端が軸支されている。これにより、補助骨６は親骨４の内側に折り畳まれた状態と、親骨４の先端部から下方に向いた状態（「下ろした状態」と記すことがある）と間での揺動可能とされている。また親骨４の、一対の突片４２よりも半径方向内方には内側に向かって突出した一対の挟持片４３が形成されている。この一対の挟持片４３によって補助骨６は、親骨４の内側に折り畳まれた状態で保持される。また補助骨６の先端には、親骨４と同様に、傘布７３（図２に図示）を取り付けるための露先６１が填め入れられている。
【００１８】
このような構造の傘において、多角形状に縫製された傘布７１（図２に図示）が、その中心が中棒１に取り付けられると共に、傘布７１の各頂点が各親骨４の露先４１に取り付けられることによって、親骨間に張設される。また、補助骨６の露先６１と補助骨６の後端に傘布７２（図２に図示）の縁辺を取り付けることによって、補助骨間及び補助骨６と親骨４間に傘布７２が張設される。もちろん傘布７１と傘布７２とを一体に縫製し張設しても構わない。
【００１９】
親骨４および補助骨６に張設する傘布７１，７２の種類には特に限定はなく、従来公知のものを使用できる。親骨４と補助骨６に同じ傘布を張設してもよいし、異なる傘布を張設してもよい。例えば、補助骨６に張設する傘布を透明のものにしておけば、視界がよくなり安全性が高まる。
【００２０】
風雨のときでも傘を大きく傾けることなく雨を遮れるようにする観点からは、１本〜５本程度の隣り合う親骨４に補助骨６を設ければ足りる。また複数本の補助骨６を取り付ける場合、補助骨６の長さは異なっていてももちろん構わない。補助骨６の長さは利便性や外観を考慮して適宜決定すればよい。実用性と収納性などを考慮すると５〜２０ｃｍ程度が好適である。もちろん補助骨６は親骨４のすべてに取り付けても構わない。
【００２１】
図２に、本発明に係る傘の一例を示す正面図と側面図をそれぞれ示す。同図（ａ）は補助骨を折り畳んだ状態の正面図、同図（ｂ）は補助骨を下ろした状態の正面図、同図（ｃ）は補助骨を下ろした状態の側面図である。これらの図から理解されるように、この傘は親骨４を１２本有する傘であって、その内３本の親骨４ａ，４ｂ，４Ｌの先端部に補助骨６ａ，６ｂ，６Ｌがそれぞれ取り付けられている。そして中央の補助骨６ａが最も長く、両側の補助骨６ｂ，６Ｌは同じ長さで補助骨６ａよりも短い。補助骨６ａ，６ｂ，６Ｌ間及び補助骨６ｂと親骨４ｃの間、補助骨６Ｌと親骨４ｋとの間に、親骨間に張設された傘布７１とは別体の補助傘布７２が張設されている。
【００２２】
このような傘によれば、普段は補助骨６ａ，６ｂ，６Ｌを親骨４ａ，４ｂ，４Ｌの内側に折り畳んでおくことによって、これまでの傘と変わない外観が得られる一方、補助骨６ａ，６ｂ，６Ｌを下ろすことによって風雨の強い時に横から吹き付ける雨を効果的に遮ることができるようになる。
【００２３】
補助骨６ａ，６ｂ，６Ｌを下ろしたときの親骨４と補助骨６のなす角度は、親骨４の撓み具合等から適宜決定すればよいが、補助骨６を下ろしたときに補助骨６が略鉛直方向に向くようにするのが好ましい。
【００２４】
図３に、本発明に係る傘の他の実施形態を示す。前記と同様に、同図（ａ）は補助骨を折り畳んだ状態の正面図、同図（ｂ）は補助骨を下ろした状態の正面図、同図（ｃ）は補助骨を下ろした状態の側面図である。この図の傘は親骨４を８本有する傘であって、その内１本の親骨４ａの先端部に補助骨６ａが取り付けられたものである。そして補助骨６ａと、これに隣り合う親骨４ｂ，４ｈの間に補助傘布７３が張設されている。この場合、補助傘布７３の形状は正面から見て二等辺三角形状となる。このような傘によっても、補助骨４ａを下ろすことによって風雨の強い時に横から吹き付ける雨を効果的に遮ることができる。
【００２５】
図４に、本発明に係る傘のさらに他の実施形態を示す。同図（ａ）は傘の平面図、同図（ｂ）は補助骨を下ろした状態の側面図である。この図から理解されるように、この傘の平面形状は右側が外方へ張り出した略楕円形状（非正多角形）である。すなわちこの傘は１２本の親骨４ａ〜４Ｌを有し、その中で右側の親骨４ｅ，４ｆ，４ｇ，４ｈ，４ｉが長くなっている。一方、補助骨６ａ，６ｂ，６Ｌは短い親骨４ａ，４ｂ，４Ｌに取り付けられている。より詳細には、中棒１に対して３本の長い親骨４ｇ，４ｈ，４ｆの点対称位置にある３本の短い親骨４ａ，４ｂ，４Ｌに補助骨６ａ，６ｂ，６Ｌは取り付けられている。そして、補助骨６ａ，６ｂ，６Ｌ間及び補助骨６ｂと親骨４ｃの間、補助骨６Ｌと親骨４ｋとの間に補助傘布７２が張設されている。このような構成の傘によれば、横から吹き付ける雨を遮るために補助骨６ａ，６ｂ，６Ｌを下ろすと同時に、風が吹いてくる方向に傘を傾けた場合であっても、補助骨６ａ，６ｂ，６Ｌが取り付けられた親骨４ａ，４ｂ，４Ｌと反対側の親骨４ｇ，４ｈ，４ｆが長くされているので、身体部分が傘から外れることがなく雨に濡れることが防止される。
【００２６】
図５は、非正多角形の傘の他の実施形態を示す図であって、同図（ａ）は傘の平面図、同図（ｂ）は補助骨を下ろした状態の側面図である。この図の傘は、平面形状において右側が外方へ張り出している点は図４に示した傘と同じであるが、親骨の本数が８本である点で図４に示した傘と異なっている。またこの図の傘では、１本の親骨４ａにのみ補助骨６ａが取り付けられている。そして補助骨６ａと、これに隣り合う親骨４ｂ，４ｈの間に補助傘布７３が張設されている。このような構成の傘であっても、前記の傘と同様の効果が得られる。
【００２７】
次に、補助骨の親骨への取り付けについて説明する。図６に、補助骨の親骨への取り付け形態の一例を示す。同図（ａ）に示すように、補助骨６は断面Ｕ字状であって、棒状の基部８１の一端に揺動自在に軸支されている。断面Ｕ字状の親骨４の溝に、基部８１を填め入れた後、親骨４の外側を挟持部材８２で挟み込む。これによって基部８１は親骨４に固定され、同時に補助骨６も親骨４に固定されることになる。補助骨６の外表面には細長い凹部６２が形成され、挟持部材８２には下方に延出した係合部８２１が形成されている。補助骨６を親骨４の内側に折り畳んだ状態としたときに、補助骨６の凹部６２と挟持部材８２の係合部８２１が係合し、折り畳まれた状態で補助骨６が保持される（同図（ｂ））。一方、補助骨６を下ろした状態としたときは、補助骨６の揺動軸側の端面６３と親骨４の内底面４０とが面接触し、先端が下方を向いた状態で補助骨６が保持される（同図（ｃ））。このときの補助骨６の角度は、補助骨６の端面６３の形成角度によって調整することができる。
【００２８】
図６に示した補助骨６の取り付け形態では、挟持部材８２を親骨４から取り外すことによって基部８１を含む補助骨６を取り外すことは可能であるが、完成品の状態では親骨４の外側には傘布（不図示）が張設されているので、利用者が補助骨６を着脱することは実質的には困難である。そこで、図７及び図８に示すような取り付け形態として、利用者が補助骨６を着脱できるようにしてもよい。
【００２９】
図７の補助骨の取り付け形態は、露先４５に、補助骨６の後端を揺動可能に取り付け、この露先４５を親骨４の先端に填め入れたものである。親骨４には、内側に向かって突出した一対の挟持片４３が形成されている。この一対の挟持片４３の対峙する内側面には突条４４が形成されている。補助骨６はこの突条４４に係合することにより、親骨４の内側に折り畳まれた状態で保持される。この取り付け形態によれば、露先４５を親骨４から取り外すことで、補助骨６は親骨４に対して着脱可能となる。
【００３０】
図８の補助骨の取り付け形態は、貫通孔６２を有する取付基部６０に補助骨６の後端を揺動可能に取り付け、この取付基部６０の貫通孔６２を親骨４に挿通させた後、親骨４の先端に露先４１を取り付けて、取付基部６０を親骨４に固定したものである。この取り付け形態によれば、露先４１を親骨４から取り外して、補助骨６が軸支された取付基部６０を親骨４から取り外す又は取り付けることによって、補助骨６は親骨４に対して着脱可能となる。
【００３１】
もちろん、親骨に対する補助骨の着脱機構はこれらの形態に限定されるものではなく、従来公知の着脱機構をここでも採用することができる。
【図面の簡単な説明】
【００３２】
【図１】本発明に係る傘の一実施形態を示す概説図である。
【図２】本発明に係る傘において補助骨を折り畳んだ状態と下ろした状態の一例を示す図である。
【図３】本発明に係る傘において補助骨を折り畳んだ状態と下ろした状態の他の例を示す図である。
【図４】本発明に係る傘の他の実施形態を示す図である。
【図５】本発明に係る傘のさらに他の実施形態を示す図である。
【図６】補助骨を親骨に取り付ける形態例を示す図である。
【図７】補助骨を親骨に着脱可能に取り付ける形態例を示す図である。
【図８】補助骨を親骨に着脱可能に取り付ける他の形態例を示す図である。
【符号の説明】
【００３３】
１    中棒
２    上ロクロ
３    下ロクロ
４    親骨
４ａ〜４Ｌ    親骨
５    受骨
６    補助骨
６ａ，６ｂ，６ｇ    補助骨
７１    傘布
７２，７３    補助傘布
【図１】
2007282838.tif 000003
【図２】
2007282838.tif 000004
【図３】
2007282838.tif 000005
【図４】
2007282838.tif 000006
【図５】
2007282838.tif 000007
【図６】
2007282838.tif 000008
【図７】
2007282838.tif 000009
【図８】
2007282838.tif 000010